【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
第1の色コンテナに関係するビデオデータを受信するステップであって、前記第1の色コンテナに関係する前記ビデオデータが、少なくとも一部分は第1の色域および第1の色空間によって定義される、ステップと、
前記第1の色コンテナを定義する前記第1の色域と第2の色コンテナを定義する第2の色域との対応であって、前記第2の色コンテナが少なくとも一部分は前記第2の色域、および第2の色空間、および前記第1の色コンテナに関係する前記ビデオデータの特性によって定義される、対応のうちの少なくとも1つに基づいて、1つまたは複数のダイナミックレンジ調整パラメータを導出するステップと、
前記1つまたは複数のダイナミックレンジ調整パラメータに従って前記ビデオデータのルミナンス成分に対してダイナミックレンジ調整を実行するステップと、
前記1つまたは複数のダイナミックレンジ調整パラメータに従って前記ビデオデータのクロミナンス成分に対してダイナミックレンジ調整を実行するステップと、
前記ルミナンス成分に対して前記ダイナミックレンジ調整を実行し、かつ、前記クロミナンス成分に対して前記ダイナミックレンジ調整を実行した後に、前記ビデオデータに対して符号化プロセスを実行するステップであって、前記第１の色コンテナがネイティブ色コンテナであり、かつ、前記第２の色コンテナがターゲット色コンテナである、ステップか、または、
前記ルミナンス成分に対して前記ダイナミックレンジ調整を実行し、かつ、前記クロミナンス成分に対して前記ダイナミックレンジ調整を実行する前に、前記ビデオデータに対して復号プロセスを実行するステップであって、前記第１の色コンテナがターゲット色コンテナであり、かつ、前記第２の色コンテナがネイティブ色コンテナである、ステップか、
を含む、ステップと、
前記第１の色域および前記第２の色コンテナを示す１つまたは複数のシンタックス要素を受信するステップと、
前記受信された１つまたは複数のシンタックス要素に基づいて前記１つまたは複数のダイナミックレンジ調整パラメータを導出するステップと
を含み、さらに、
現在コーディングされているピクチャおよび参照ピクチャに関して前記１つまたは複数のダイナミックレンジ調整パラメータから重み付け予測のパラメータを導出するステップ
を含む、方法。
【請求項２】
前記第1の色域および前記第2の色コンテナにおける前記ビデオデータの実際の色値のカラープライマリおよび白色点を示す1つまたは複数のシンタックス要素を、メタデータ、補足エンハンスメント情報メッセージ、ビデオユーザビリティ情報、ビデオパラメータセット、シーケンスパラメータセット、ピクチャパラメータ、スライスヘッダ、またはCTUヘッダのうちの1つまたは複数において、符号化されたビデオビットストリームでシグナリングするステップ
をさらに含む、請求項1に記載の方法。
【請求項３】
前記ダイナミックレンジ調整パラメータを明示的に示す1つまたは複数のシンタックス要素を、メタデータ、補足エンハンスメント情報メッセージ、ビデオユーザビリティ情報、ビデオパラメータセット、シーケンスパラメータセット、ピクチャパラメータ、スライスヘッダ、またはCTUヘッダのうちの1つまたは複数において、符号化されたビデオビットストリームでシグナリングするステップ
をさらに含む、請求項1に記載の方法。
【請求項４】
ビデオデータを処理するように構成された装置であって、
前記装置は、
前記ビデオデータを記憶するように構成されたメモリと、
1つまたは複数のプロセッサと
を備え、
前記1つまたは複数のプロセッサは、
第1の色コンテナに関係する前記ビデオデータを受信することであって、前記第1の色コンテナに関係する前記ビデオデータが、少なくとも一部分は第1の色域および第1の色空間によって定義される、ことと、
前記第1の色コンテナを定義する前記第1の色域と第2の色コンテナを定義する第2の色域との対応であって、前記第2の色コンテナが少なくとも一部分は前記第2の色域および第2の色空間または前記第1の色コンテナに関係する前記ビデオデータの特性によって定義される、対応のうちの少なくとも1つに基づいて、1つまたは複数のダイナミックレンジ調整パラメータを導出することと、
前記1つまたは複数のダイナミックレンジ調整パラメータに従って前記ビデオデータのルミナンス成分に対してダイナミックレンジ調整を実行することと、
前記1つまたは複数のダイナミックレンジ調整パラメータに従って前記ビデオデータのクロミナンス成分に対してダイナミックレンジ調整を実行することと、
前記ルミナンス成分に対する前記ダイナミックレンジ調整の実行の前または後、および前記クロミナンス成分に対する前記ダイナミックレンジ調整の実行の前または後に、前記ビデオデータに対してコーディングプロセスを実行することと、
前記ルミナンス成分に対して前記ダイナミックレンジ調整を実行し、かつ、前記クロミナンス成分に対して前記ダイナミックレンジ調整を実行した後に、前記ビデオデータに対して符号化プロセスを実行することであって、前記第１の色コンテナがネイティブ色コンテナであり、かつ、前記第２の色コンテナがターゲット色コンテナである、ことか、または、
前記ルミナンス成分に対して前記ダイナミックレンジ調整を実行し、かつ、前記クロミナンス成分に対して前記ダイナミックレンジ調整を実行する前に、前記ビデオデータに対して復号プロセスを実行することであって、前記第１の色コンテナがターゲット色コンテナであり、かつ、前記第２の色コンテナがネイティブ色コンテナである、ことか、
を含む、ことと、
前記第１の色域および前記第２の色コンテナを示す１つまたは複数のシンタックス要素を受信することと、
前記受信された１つまたは複数のシンタックス要素に基づいて前記１つまたは複数のダイナミックレンジ調整パラメータを導出することと
を行うように構成され、
前記1つまたは複数のプロセッサは、さらに、
現在コーディングされているピクチャおよび参照ピクチャに関して前記１つまたは複数のダイナミックレンジ調整パラメータから重み付け予測のパラメータを導出すること
を行うように構成される、
装置。
【請求項５】
前記1つまたは複数のプロセッサは、
前記第1の色域および前記第2の色コンテナにおける前記ビデオデータの実際の色値のカラープライマリおよび白色点を示す1つまたは複数のシンタックス要素を、メタデータ、補足エンハンスメント情報メッセージ、ビデオユーザビリティ情報、ビデオパラメータセット、シーケンスパラメータセット、ピクチャパラメータ、スライスヘッダ、またはCTUヘッダのうちの1つまたは複数において、符号化されたビデオビットストリームでシグナリングするようにさらに構成される、
請求項4に記載の装置。
【請求項６】
前記1つまたは複数のプロセッサは、前記ルミナンス成分に対して前記ダイナミックレンジ調整を実行し、前記クロミナンス成分に対して前記ダイナミックレンジ調整を実行する前に、前記ビデオデータに対して復号プロセスを実行するように構成され、前記第1の色コンテナがターゲット色コンテナであり、前記第2の色コンテナがネイティブ色コンテナである、
請求項4に記載の装置。
【請求項７】
前記1つまたは複数のプロセッサは、
前記第1の色域および前記第2の色コンテナを示す1つまたは複数のシンタックス要素を受信することと、
前記受信された1つまたは複数のシンタックス要素に基づいて前記1つまたは複数のダイナミックレンジ調整パラメータを導出することと
を行うようにさらに構成される、
請求項6に記載の装置。
【請求項８】
前記1つまたは複数のプロセッサは、
前記ダイナミックレンジ調整パラメータを明示的に示す1つまたは複数のシンタックス要素を、メタデータ、補足エンハンスメント情報メッセージ、ビデオユーザビリティ情報、ビデオパラメータセット、シーケンスパラメータセット、ピクチャパラメータ、スライスヘッダ、またはCTUヘッダのうちの1つまたは複数において、符号化されたビデオビットストリームでシグナリングする
ようにさらに構成される、請求項4に記載の装置。
【請求項９】
前記1つまたは複数のプロセッサは、
前記ダイナミックレンジ調整パラメータを明示的に示す1つまたは複数のシンタックス要素を受信する
ようにさらに構成される、請求項4に記載の装置。
【請求項１０】
前記ビデオデータの前記特性は輝度情報を含み、前記1つまたは複数のプロセッサは、
前記ビデオデータの前記輝度情報に基づいて前記1つまたは複数のダイナミックレンジ調整パラメータを導出する
ようにさらに構成される、請求項4に記載の装置。
【請求項１１】
前記ビデオデータの前記特性は色値を含み、前記1つまたは複数のプロセッサは、
前記ビデオデータの前記色値に基づいて前記1つまたは複数のダイナミックレンジ調整パラメータを導出する
ようにさらに構成される、請求項4に記載の装置。
【請求項１２】
前記1つまたは複数のプロセッサは、
前記ビデオデータを量子化することに関連する量子化誤差、または前記ビデオデータを符号化することに関連するコスト関数のうちの一方を最小化することによって、前記1つまたは複数のダイナミックレンジ調整パラメータを導出する
ようにさらに構成される、請求項4に記載の装置。
【請求項１３】
前記1つまたは複数のダイナミックレンジ調整パラメータは、前記ビデオデータの各色成分に関するスケールおよびオフセットを含み、前記1つまたは複数のプロセッサは、
それぞれの各色成分に関する前記スケールおよび前記オフセットの関数に従って前記ビデオデータの各色成分を調整する
ようにさらに構成される、請求項4に記載の装置。
【請求項１４】
前記1つまたは複数のダイナミックレンジ調整パラメータは、第1の伝達関数を定義し、前記1つまたは複数のプロセッサは、
前記ビデオデータに前記第1の伝達関数を適用する
ようにさらに構成される、請求項4に記載の装置。
【請求項１５】
実行されたとき、1つまたは複数のプロセッサに、請求項1から12のいずれか一項に記載の方法をを行わせる命令を記憶している
コンピュータ可読記憶媒体。